(57)【要約】【課題】収納ケースにおいて、化粧品と化粧用具又はこれと同様な関係で用いられる第１物品と第２物品を収納したケースの小型化を実現させつつ化粧用具又は第２物品の取り出しも容易に行えるようにする。【解決手段】第１物品収納凹部８が設けられたケース本体２と、このケース本体２にスライド自在に係合された蓋部材３と、蓋部材３の開動側の端部に設けられたカセット５とを有し、ケース本体２と蓋部材３との間に、蓋部材３の開動作時にカセット５を露出方向へと連動させ、蓋部材３の閉動作時にカセット５を退入方向へ連動させる動作変換伝動機構３５が設けられたものとした。【選択図】図１
2006198346.tif 000002
【特許請求の範囲】
【請求項１】
第１物品収納凹部（８）が設けられたケース本体（２）と、このケース本体（２）にスライド自在に係合されて上記第１物品収納凹部（８）を開放状態と閉鎖状態との間で開閉動作可能になされた蓋部材（３）と、蓋部材（３）の開動作時にこの蓋部材（３）においてケース本体（２）から遠ざかる側となる端部に設けられた第２物品（４）保持用のカセット（５）とを有し、このカセット（５）は蓋部材（３）に対し、当該カセット（５）によって保持される第２物品（４）を蓋部材（３）の裏側へ隠す退入状態と蓋部材（３）の裏側から突出させる露出状態との間で移動自在に保持されており、ケース本体（２）と蓋部材（３）との間には、蓋部材（３）の開動作時に当該蓋部材（３）に対してカセット（５）を退入状態から露出状態へと連動させると共に、蓋部材（３）の閉動作時に当該蓋部材（３）に対してカセット（５）を露出状態から退入状態へ連動させる動作変換伝動機構（３５）が設けられていることを特徴とする収納ケース。
【請求項２】
前記動作変換伝動機構（３５）は、カセット（５）からケース本体（２）の裏面に重ねられる方向へ向けて張出形成されたカム板（３０）に対しケース本体（２）の裏面に向けて開口する状態で設けられた傾斜方向のカム溝（３１）と、ケース本体（２）の裏面で突出して上記カム溝（３１）に係合可能となるカム用突起（１５）とを有し、上記カム溝（３１）が、蓋部材（３）を開動作させるにつれてカセット（５）を退入状態から露出状態へ移動させる駆動成分の発生方向に傾斜されたものであることを特徴とする請求項１記載の収納ケース。
【請求項３】
前記動作変換伝動機構（３５）は、ケース本体（２）の裏面で開口する状態で設けられた傾斜方向のカム溝（３１）と、カセット（５）からケース本体（２）の裏面に重ねられる方向へ向けて張出形成された突起支持部材（３６）に対しケース本体（２）の裏面に向けて突出して上記カム溝（３１）に係合可能となるカム用突起（１５）とを有し、上記カム溝（３１）が、蓋部材（３）を開動作させるにつれてカセット（５）を退入状態から露出状態へ移動させる駆動成分の発生方向に傾斜されたものであることを特徴とする請求項１記載の収納ケース。
【請求項４】
前記蓋部材（３）は、ケース本体（２）の第１物品収納凹部（８）側を開閉する位置でスライドする表カバー部（２０）と、ケース本体（２）の第１物品収納凹部（８）における裏側に沿った位置でスライドする裏カバー部（２１）と、これら表カバー部（２０）と裏カバー部（２１）とを連結する側カバー部（２２）とを有して断面コ字状に形成されており、裏カバー部（２１）によって動作変換伝動機構（３５）を覆って外部に露出させない構造になっていることを特徴とする請求項１乃至請求項３のいずれかに記載の収納ケース。
【請求項５】
前記蓋部材（３）には、表カバー部（２０）と裏カバー部（２１）と側カバー部（２２）とによって断面コ字状とされる部分の内側に、カセット（５）を側カバー部（２２）内面に摺接させつつ移動自在に保持させるレール部（２５）が設けられていることを特徴とする請求項４記載の収納ケース。
【請求項６】
第１物品収納凹部（８）が設けられたケース本体（２）と、このケース本体（２）にスライド自在に係合されて上記第１物品収納凹部（８）を開放状態と閉鎖状態との間で開閉動作可能になされた蓋部材（３）と、蓋部材（３）が閉鎖状態にあるときにこの蓋部材（３）の裏側で第１物品収納凹部（８）と一緒に隠される状態となるようにケース本体（２）に設けられた第２物品（４）保持用のカセット（５）とを有し、このカセット（５）はケース本体（２）に対し、当該カセット（５）によって保持される第２物品（４）を蓋部材（３）の裏側へ隠す退入状態と蓋部材（３）の裏側から突出させる露出状態との間で移動自在に保持されており、ケース本体（２）と蓋部材（３）との間には、蓋部材（３）の開動作時にケース本体（２）に対してカセット（５）を退入状態から露出状態へ連動させると共に、蓋部材（３）の閉動作時にケース本体（２）に対してカセット（５）を露出状態から退入状態へ連動させる動作変換伝動機構（３５）が設けられていることを特徴とする収納ケース。
【請求項７】
前記動作変換伝動機構（３５）は、蓋部材（３）からケース本体（２）の裏面に重ねられる方向へ向けて張出形成された裏カバー部（２１）に対しケース本体（２）の裏面に向けて開口する状態で設けられた傾斜方向のカム溝（３１）と、カセット（５）において上記蓋部材（３）の裏カバー部（２１）へ向く面で突出して上記カム溝（３１）に係合可能となるカム用突起（１５）とを有し、上記カム溝（３１）が、蓋部材（３）を開動作させるにつれてカセット（５）を退入状態から露出状態へ移動させる駆動成分の発生方向に傾斜されたものであることを特徴とする請求項６記載の収納ケース。
【請求項８】
前記動作変換伝動機構（３５）は、蓋部材（３）からケース本体（２）の裏面に重ねられる方向へ向けて張出形成された裏カバー部（２１）とケース本体（２）の裏面との間へ向けてカセット（５）から張出形成されたカム板（３０）に対し蓋部材（３）の裏カバー部（２１）に向けて開口する状態で設けられた傾斜方向のカム溝（３１）と、蓋部材（３）の裏カバー部（２１）からカセット（５）へ向く面で突出して上記カム溝（３１）に係合可能となるカム用突起（１５）とを有し、上記カム溝（３１）が、蓋部材（３）を開動作させるにつれてカセット（５）を退入状態から露出状態へ移動させる駆動成分の発生方向に傾斜されたものであることを特徴とする請求項６記載の収納ケース。
【発明の詳細な説明】
【技術分野】
【０００１】
本発明は、収納ケースに関するものである。
【背景技術】
【０００２】
化粧品を携行するとき等に用いるコンパクトケースとして、蓋を開けるとチップ（アイシャドウを塗布するのに用いる小さなブラシ状のもの）等の化粧用具の一部がケース本体から突出したり浮き上がったりして、取り出し易くなるようにした構造を備えたものが各種提案されている（例えば、特許文献１〜５等参照）。
これら従来公知のコンパクトケースにおいて、共通していることは、いずれも化粧品を収納しているケース本体に対し、蓋がヒンジ部を介して揺動自在に連結されていることにある。
【特許文献１】実開昭６２−１０４７１０号公報
【特許文献２】実公平６−８８１７号公報
【特許文献３】実公平６−１０８９８号公報
【特許文献４】実公平１−１２６５１号公報
【特許文献５】実公平３−１９２９１号公報
【特許文献６】特開２００４−２７５７１５号公報
【発明の開示】
【発明が解決しようとする課題】
【０００３】
この種のコンパクトケースは携帯することが前提となっており、可及的に小型化、薄型化されることが望まれている。しかしながら、一般的にケース本体と蓋とをヒンジ結合し、蓋を揺動自在にする構造ではヒンジ部の存在自体がケースを大柄にする要因となっており、しかも、化粧用具を取り出し易くするための構造が、益々ケースを小型化する上で障害となっている。
一方で、ケースの小型化は化粧用具の取り出しを困難にさせる恐れがあり、また化粧品の収納部分に対して化粧用具が接近した収納配置になるため化粧用具や、これを取り出そうとする指先などに化粧品が付着してしまう恐れがある。
【０００４】
本発明は、上記事情に鑑みてなされたものであって、化粧品と化粧用具又はこれと同様な関係で用いられる第１物品と第２物品を収納したケースの小型化を実現させつつ化粧用具又は第２物品の取り出しも容易に行えるようにした収納ケースを提供することを目的とする。
【課題を解決するための手段】
【０００５】
前記目的を達成するために、本発明は次に示す第一の手段を講じた。
即ち、本発明に係る収納ケースは、第１物品収納凹部が設けられたケース本体と、このケース本体にスライド自在に係合されて上記第１物品収納凹部を開放状態と閉鎖状態との間で開閉動作可能になされた蓋部材と、蓋部材の開動作時にこの蓋部材においてケース本体から遠ざかる側となる端部に設けられた第２物品保持用のカセットとを有したものである。
カセットは、蓋部材に対し、当該カセットによって保持される第２物品を蓋部材の裏側へ隠す退入状態と蓋部材の裏側から突出させる露出状態との間で移動自在に保持されている。
【０００６】
そして、ケース本体と蓋部材との間には動作変換伝動機構が設けられている。この動作変換伝動機構は、蓋部材の開動作時には、カセットによって保持される第２物品を、この蓋部材に対して退入状態から露出状態にさせるべく、カセットを連動させる。また、蓋部材の閉動作時には、カセットによって保持される第２物品を、この蓋部材に対して露出状態から退入状態にさせるべく、カセットを連動させる。
このように、ケース本体に対して蓋部材をスライドによって開閉する構成にすることで、大柄化の原因になるヒンジ部を省略できる。その分、ケースとしての小型化が図れることになる。
【０００７】
またカセットは、閉じられている蓋部材を開動作させるときであって且つカセットに第２物品が保持されているときには、この第２物品を露出状態とさせるよう自動的に移動する。
またこのカセットは反対に、開かれている蓋部材を閉動作させるときであって且つカセットに第２物品が保持されているときには、この第２物品を退入状態にさせるよう自動的に移動する。
これらのことから、この収納ケースに対し、第２物品を取り出したり片づけたりするのが極めて容易且つ迅速に行える。
【０００８】
動作変換伝動機構は、カセットからケース本体の裏面に重ねられる方向へ向けて張出形成されたカム板に対し、ケース本体の裏面に向けて開口する状態で設けられた傾斜方向のカム溝と、ケース本体の裏面で突出して上記カム溝に係合可能となるカム用突起とを有したものとすることができる。
また動作変換伝動機構は、ケース本体の裏面で開口する状態で設けられた傾斜方向のカム溝と、カセットからケース本体の裏面に重ねられる方向へ向けて張出形成された突起支持部材に対し、ケース本体の裏面に向けて突出して上記カム溝に係合可能となるカム用突起とを有したものとすることもできる。
【０００９】
言うまでもなく、いずれの場合もカム溝の傾斜方向は、蓋部材の開動作時に、カセットを退入状態から露出状態へ移動させる駆動成分が発生する方向とする。当然に、カム溝がこの傾斜方向になっていれば、蓋部材の閉動作時に、カセットを露出状態から退入状態へ移動させる駆動成分が発生する。
なお、動作変換機構に関しては、上記したものに限らず、別のカム機構やリンク機構、或いはラックとピニオンとの組み合わせ機構などを採用することも可能である。
蓋部材は、ケース本体の第１物品収納凹部側を開閉する位置でスライドする表カバー部と、ケース本体の第１物品収納凹部における裏側に沿った位置でスライドする裏カバー部と、これら表カバー部と裏カバー部とを連結する側カバー部とを有して断面コ字状に形成されたものとすることができる。
【００１０】
このように蓋部材を断面コ字状に形成すると、ケース本体に対して蓋部材をスライド自在に保持させるための構造が簡潔となり、また蓋部材のスライド動作も円滑にできる利点がある。
しかも、裏カバー部によって動作変換伝動機構を覆って外部に露出させない構造にできるため、例えば裏カバーを不透明なものとすれば動作変換伝動機構を隠せることになり、見栄えを向上させることができる。また、裏カバー部が透明であるか不透明であるかに拘わらず、この裏カバー部の存在により、動作変換伝動機構が使用者によって触られることがなくなるので、故障や破損を防止できる利点もある。
【００１１】
蓋部材には、表カバー部と裏カバー部と側カバー部とによって断面コ字状とされる部分の内側に、カセットを側カバー部内面に摺接させつつ移動自在に保持させるレール部を設けておけばよい。
このようにすることで、カセットがガタツキなく、安定して摺動するようになり、動作の円滑性が保たれる。
一方、本発明は、次に示す第二の手段を講じることもできる。
即ち、本発明に係る収納ケースは、第１物品収納凹部が設けられたケース本体と、このケース本体にスライド自在に係合されて上記第１物品収納凹部を開放状態と閉鎖状態との間で開閉動作可能になされた蓋部材と、蓋部材が閉鎖状態にあるときにこの蓋部材の裏側で第１物品収納凹部と一緒に隠される状態となるようにケース本体に設けられた第２物品保持用のカセットとを有したものである。
【００１２】
カセットはケース本体に対し、当該カセットによって保持される第２物品を蓋部材の裏側へ隠す退入状態と蓋部材の裏側から突出させる露出状態との間で移動自在に保持されている。
そして、ケース本体と蓋部材との間には動作変換伝動機構が設けられている。この動作変換伝動機構は、蓋部材の開動作時には、カセットによって保持される第２物品を、ケース本体に対して退入状態から露出状態にさせるべく、カセットを連動させる。また、蓋部材の閉動作時には、カセットによって保持される第２物品を、ケース本体に対して露出状態から退入状態にさせるべく、カセットを連動させる。
【００１３】
このような構成を採用しても、上記した第一の手段の収納ケースと略同様の作用効果を得ることができる。
動作変換伝動機構は、蓋部材からケース本体の裏面に重ねられる方向へ向けて張出形成された裏カバー部に対し、ケース本体の裏面に向けて開口する状態で設けられた傾斜方向のカム溝と、カセットにおいて上記蓋部材の裏カバー部へ向く面で突出して上記カム溝に係合可能となるカム用突起とを有したものとすることができる。
また動作変換伝動機構は、蓋部材からケース本体の裏面に重ねられる方向へ向けて張出形成された裏カバー部とケース本体の裏面との間へ向けてカセットから張出形成されたカム板に対し、蓋部材の裏カバー部に向けて開口する状態で設けられた傾斜方向のカム溝と、蓋部材の裏カバー部からカセットへ向く面で突出して上記カム溝に係合可能となるカム用突起とを有したものとすることもできる。
【００１４】
言うまでもなく、いずれの場合もカム溝の傾斜方向は、蓋部材の開動作時に、カセットを退入状態から露出状態へ移動させる駆動成分が発生する方向とする。当然に、カム溝がこの傾斜方向になっていれば、蓋部材の閉動作時に、カセットを露出状態から退入状態へ移動させる駆動成分が発生する。
なお、上記のように蓋部材に裏カバー部を設けることにより、この裏カバー部で動作変換伝動機構を覆って外部に露出させない構造にできるため、例えば裏カバーを不透明なものとすれば動作変換伝動機構を隠せることになり、見栄えを向上させることができる。また、裏カバー部が透明であるか不透明であるかに拘わらず、この裏カバー部の存在により、動作変換伝動機構が使用者によって触られることがなくなるので、故障や破損を防止できる利点もある。
【００１５】
動作変換機構に関し、上記したのとは更に別のカム機構を採用したり、或いはリンク機構をはじめ、ラックとピニオンとの組み合わせ機構など、従来公知の各種機構を採用することも可能である。
【発明の効果】
【００１６】
本発明に係る収納ケースは、化粧品と化粧用具又はこれと同様な関係で用いられる第１物品と第２物品を収納したケースの小型化を実現させつつ化粧用具又は第２物品の取り出しも容易に行えるようになる。
【発明を実施するための最良の形態】
【００１７】
以下、本発明の実施の形態を、図面に基づき説明する。
図１乃至図５は、本発明に係る収納ケースの第１実施形態を示している。この収納ケース１は、ケース本体２と、蓋部材３と、第２物品４を保持するカセット５とを有している。
図１乃至図５に示すように、ケース本体２は、ケース底６の外周部が周壁７によって取り囲まれることで形成された第１物品収納凹部８を有している。
図例では第１物品収納凹部８の開口形状が長方形を呈するものとしてあり、周壁７には、第１物品収納凹部８の長辺側で対向二辺となる長辺側周壁７ａ，７ｃと、第１物品収納凹部８の短辺側で対向二辺となる短辺側周壁７ｂ，７ｄとが形成されている。
【００１８】
短辺側周壁７ｂ，７ｄには、一方の長辺側周壁７ｃを越える位置から互いに同じ向きに延長された延長片９が一体形成されている。
これら両延長片９によりそれらの相互間を繋ぐような配置とされる長辺側周壁７ｃだけは、ケース底６と面一となるように形成されているが、その他の三方の周壁７ａ，７ｂ，７ｄは、いずれもケース底６の裏側で突出するように形成されている。そのため、このケース底６の裏側は上げ底状となり、裏部空間１０が形成されている。
なお、これら三方の周壁７ａ，７ｂ，７ｄ及び延長片９の各内面には、それらの幅方向中央部の肉厚をやや分厚くさせるようなかたちで段差部１２が形成されている。この段差部１２は、後述する蓋部材３をこのケース本体２に対してスライドさせるときのガイドレールとして作用する。
【００１９】
またケース底６には、短辺側周壁７ｂ，７ｄから延長片９が延長される方向と同じ方向で、長辺側周壁７ｃを越えて少量だけ張り出す延長床１３が設けられており、この延長床１３には、長辺側周壁７ｃと平行する端壁１４が設けられている。またこの延長床１３には、短辺側周壁７ｂ，７ｄの略中間位置で裏部空間１０へ向けてピン状に突出するカム用突起１５が設けられている。
蓋部材３は、ケース本体２の第１物品収納凹部８に対し、その開口部の上周縁に沿ってスライドすることにより、この第１物品収納凹部８を開閉する表カバー部２０を有している。またこの蓋部材３は、ケース本体２の第１物品収納凹部８における裏側に沿った位置でスライドする裏カバー部２１をも有している。
【００２０】
図３及び図５に示すように、これら表カバー部２０と裏カバー部２１とは、それらの同じ側の一辺部間に設けられた側カバー部２２によって連結されており、結果、蓋部材３全体として断面コ字状に形成されている。
表カバー部２０や裏カバー部２１は、ケース本体２における三方の周壁７ａ，７ｂ，７ｄに囲まれる領域と、短辺側周壁７ｂ，７ｄに設けられた両延長片９の相互間に挟まれる領域とを合わせた全領域を覆うことができる大きさに形成されている。また側カバー２２は、両延長片９の延長端側でこれらの相互間を塞ぐことができる大きさに形成されている。
【００２１】
表カバー部２０及び裏カバー部２１は、三方の周壁７ａ，７ｂ，７ｄ及び延長片９の各内面に設けられた段差部１２と係合することによって、ガタツキのない安定した状態でスライド自在となっている（図３及び図４等参照）。
この蓋部材３は、表カバー部２０及び裏カバー部２１において側カバー部２２とは反対側となる側縁部を長辺側周壁７ａの内面部に突き当てた状態が、第１物品収納凹部８の全閉状態となる（図１の状態）。このとき側カバー部２２は、そのカバー外面が両延長片９の延長端側と面一となり、またカバー内面が段差部１２と当接するようになっている。
【００２２】
そして、側カバー部２２を両延長片９の相互間から側方へ出す方向（端壁１４から遠ざける方向）へ蓋部材３をスライドさせることで、第１物品収納凹部８を露出させることができる（図２の状態）。
なお、蓋部材３をスライドさせ、ケース本体２の第１物品収納凹部８を全閉にしたときに蓋部材３が勝手に開かないようにするための全閉保持用の係合構造や、第１物品収納凹部８を全開にしたときに蓋部材３が勝手に閉まらないようにするための全開保持用の係合構造などが、ケース本体２と蓋部材３との間で、適宜箇所に適宜構造で設けられている。
【００２３】
この蓋部材３には、表カバー部２０と裏カバー部２１と側カバー部２２とによって断面コ字状とされる部分の内側に、側カバー部２２の内面との間に一定間隔を保持して突出するレール部２５が設けられている。
このレール部２５は、側カバー部２２の内面に沿わせてカセット５を摺動自在な状態に嵌め入れ可能にするトンネル状の移動路２６を形成させるためのものである。従って、この移動路２６内へカセット５を嵌め入れれば、このカセット５を側カバー部２２の内面に当接させたまま、移動自在にガイドさせることができる。
【００２４】
このレール部２５は、表カバー部２０の内面に対しては一体的な固着状態とされているが、裏カバー部２１の内面までは達しておらず、従ってこのレール部２５と裏カバー部２１の内面との間には、スリット状の隙間２７が形成されている。
なお、後述するように、本第１実施形態で採用したカセット５は有底円筒形を呈したものとしてあるので、レール部２５において移動路２６内へ向く面、及びこの移動路２６内に面する表カバー部２０及び裏カバー部２１の各内面は、カセット５の外周面に対応した内曲がり曲面として形成されている。
【００２５】
カセット５は、第２物品４をその先端側（ブラシ側）から差し込み可能にした有底円筒形に形成されている。有底となっていることで第２物品４から化粧品（アイシャドウ等）が落ちてもカセット外へ漏れ出るのを可及的に防止できる。またこのカセット５は、第２物品４の全長を収納してしまうほどの深さはなく、最も押し込んだ状態でも第２物品４のツマミ部分４ａが突出して容易に摘める（取り出せる）ようになっている。
このカセット５は、上記したように蓋部材３内にレール部２５で仕切られてできる移動路２６内（即ち、側カバー部２２寄り）に摺動自在に収納される。すなわち、ケース本体２（第１物品収納凹部８）に対して蓋部材３を開動作するとき、この蓋部材３においてケース本体２から遠ざかる側となる位置に位置付けられていることになる。
【００２６】
図５に示すように、このカセット５には、有底円筒形の筒軸に平行しつつその側方へ向けて張り出すようにしてカム板３０が形成されている。上記したように、蓋部材３に設けられたレール部２５と裏カバー部２１の内面との間にはスリット状の隙間２７（図３及び図４参照）が形成されているので、カセット５を移動路２６内へ嵌め入れたときに、カム板３０はこの隙間２７内を通って裏カバー部２１と重ねることができる。
そのため、蓋部材３とケース本体２とを組み合わせたとき、このカム板３０は、ケース本体２の裏面（第１物品収納凹部８の裏側に形成される裏部空間１０）と蓋部材３の裏カバー部２１との間に収まり、結果、ケース本体２の裏面と重ねることができる。
【００２７】
このカム板３０にはカム溝３１が設けられている。このカム溝３１は、カセット５における有底円筒形の筒軸に対して傾斜する状態で設けられ、且つ、ケース本体２の裏面に向けて開口している。本第１実施形態では、カム溝３１がカム板３０を貫通した長溝として形成されたものとした。
このカム溝３１には、ケース本体２の裏面に突出状態で設けられたカム用突起１５が係合可能で、且つ相対移動が自在となっている。カム溝３１が傾斜する方向は、蓋部材３の開動作時に、カセット５を退入状態から露出状態へ移動させるような駆動成分が発生する方向としてある。
【００２８】
このように、蓋部材３（移動路２６内）に対してカセット５が移動自在に保持されたうえで、ケース本体２に設けられたカム用突起１５と、カセット５に設けられたカム板３０のカム溝３１とが互いに係合状態とされることにより、動作変換伝動機構３５が構成されている。
すなわち、この動作変換伝動機構３５は、蓋部材３の開動作時には、カセット５により保持された第２物品４をこの蓋部材３に対して退入状態から露出状態にさせるべく、カセット５を連動させる。また、蓋部材３の閉動作時には、カセット５により保持された第２物品４をこの蓋部材３に対して露出状態から退入状態にさせるべく、カセット５を連動させる。
【００２９】
このような動作変換伝動機構３５は、蓋部材３の裏カバー部２１によって隠されて、外部に露出しない構造になっている。
なお、ケース本体２、蓋部材３、及びカセット５は、いずれもその形成素材が限定されるものではない。プラスチックにより形成する場合、例えばアクリル系樹脂（ＡＳ）等により透明乃至着色透明としてもよいし、半透明（グラデーションを含む）としてもよいし、不透明としてもよい。
このような構成の収納ケース１では、ケース本体２に対し、蓋部材３をスライドによって開閉動作させることができ、このときこの蓋部材３の表カバー部２０により、ケース本体２の第１物品収納凹部８を開放状態とさせたり、閉鎖状態とさせたりできる。
【００３０】
しかも、閉じられている蓋部材３を開動作させるときには、動作変換連動機構３５の作動により、カセット５に保持されている第２物品４（ツマミ部分４ａ）をケース外へ露出させることができる。
また反対に、開かれている蓋部材３を閉動作させるときには、動作変換連動機構３５の作動により、カセット５に保持された第２物品４をケース内へ退入させることができる。
このように、第２物品４を取り出したり片づけたりするのが極めて容易に行える。
図６は、本発明に係る収納ケース１の第２実施形態を示した分解斜視図である。この第２実施形態の収納ケース１において、上記した第１実施形態と異なるところは、動作変換伝動機構３５にある。
【００３１】
この第２実施形態の収納ケース１において採用された動作変換伝動機構３５は、ケース本体２の裏面で開口する状態で設けられた傾斜方向のカム溝３１と、カセット５からケース本体２の裏面に重ねられる方向へ向けて張出形成された突起支持部材３６に対し、ケース本体２の裏面に向けて突出して上記カム溝３１に係合可能となるカム用突起１５とを有している。
すなわち、第１実施形態の収納ケース１で採用された動作変換伝動機構３５とは、カム溝３１とカム用突起１５とが、ケース本体２とカセット５との間で相対的に逆に設けられているものである。
【００３２】
この第２実施形態の収納ケース１において、その他の構成及び作用効果は第１実施形態の場合と略同じであるので、ここでの詳説は省略する。
図７は、本発明に係る収納ケース１の第３実施形態を示した分解斜視図である。この第３実施形態の収納ケース１も、基本的には、第１物品収納凹部８が設けられたケース本体２と、このケース本体２にスライド自在に係合された蓋部材３と、第２物品４を保持するためのカセット５とを有したものである。
そして、蓋部材３は、ケース本体２に対するスライドにより、第１物品収納凹部８を開放状態と閉鎖状態との間で開閉動作するものであって、このうち、開動作時にはケース本体２に対し、カセット５に保持される第２物品４を退入状態から露出状態にさせるべく、カセット５を連動させ、また閉動作時にはケース本体２に対し、カセット５に保持される第２物品４を露出状態から退入状態にさせるべく、カセット５を連動させるための動作変換連動機構３５が設けられている。
【００３３】
但し、この第３実施形態の収納ケース１で採用された動作変換連動機構３５では、カム溝３１が蓋部材３の裏カバー部２１の内面に設けられ、ケース本体２の裏面に向けて開口したものとなっている。またこのカム溝３１に係合するカム用突起１５は、カセット５において蓋部材３の裏カバー部２１へ向く面に突設されたものとなっている。
言うまでもなく、カム溝３１の傾斜方向は、蓋部材３の開動作時に、カセット５に保持された第２物品４を退入状態から露出状態へ移動させるような駆動成分が発生する方向である。
【００３４】
このような動作変換連動機構３５では、カセット５に対し、ケース本体２の裏面側へ張り出すような片部材（第１実施形態のカム板３０や第２実施形態の突起支持部材３６に相当するもの）は必要とされず、単純な有底の円筒形又は角筒形などとすることができる。
そこで、ケース本体２には、このカセット５が円滑に移動することができるようにするための移動路４０が形成されている。この移動路４０は、第１物品収納凹部８の隣に位置付けられ、ケース本体２の裏面側で開口したものとされている。
なお、この移動路４０は、カセット５の移動方向として、保持した第２物品４を露出させる方向では当然の如く開口する必要があるため、ケース本体２の短辺側周壁７ｂに延長片９は設けられていないものとしてある。しかし、退入させる方向では突き当たり部４１を形成させる必要があるため、ケース本体２の短辺側周壁７ｄに延長片９が設けられたものとしてある。
【００３５】
ケース本体２の短辺側周壁７ｂに延長片９を設けないことに伴い、蓋部材３には、閉鎖状態のときにこの延長片９の代用をする横蓋４５を設けてある。すなわち、この横蓋４５は、蓋部材３の開閉動作に合わせて、移動路４０においてカセット５が出没するための開口部分を開閉するようになっている。
本第３実施形態では、カセット５を有底角筒形とし、ケース本体２の移動路４０も、このカセット５をガタツキなく嵌め入れ可能な角溝状としてあり、これによってカセット５を回り止めさせる作用も兼ねさせてある。
【００３６】
このような構成を採用した第３実施形態の収納ケース１においても、その使用状況及び作用効果とするところは、上記した第１実施形態や第２実施形態の収納ケース１と略同様である。なお、上記第３実施形態において、カム溝３１を表カバー部２０の内面に設け、カム用突起１５と移動路４０の向きを図７と逆向きとしてもよい。
図８は、本発明に係る収納ケース１の第４実施形態を示した分解斜視図である。この第４実施形態の収納ケース１において、上記した第３実施形態と異なるところは、動作変換伝動機構３５にある。
【００３７】
この第４実施形態の収納ケース１において採用している動作変換伝動機構３５は、蓋部材３の裏カバー部２１とケース本体２の裏面との間へ向けてカセット５から張出形成されたカム板３０に対し、蓋部材３の裏カバー部２１に向けて開口する状態で設けられた傾斜方向のカム溝３１と、蓋部材３の裏カバー部２１からカセット５へ向く面で突出して上記カム溝３１に係合可能となるカム用突起１５とを有している。
すなわち、第３実施形態の収納ケース１で採用された動作変換伝動機構３５とは、カム溝３１とカム用突起１５とが、蓋部材３の裏カバー部２１とカセット５との間で相対的に逆に設けられているものである。
【００３８】
この第４実施形態の収納ケース１において、その他の構成及び作用効果は第３実施形態の場合と略同じであるので、ここでの詳説は省略する。
ところで、本発明は、上記した各実施形態に限定されるものではなく、実施の形態に応じて適宜変更可能である。
例えば、蓋部材３は必ずしも断面コ字状であることが必要ではなく、場合によっては裏カバー部２１や側カバー部２２を省略することもできる。
なお、第１〜第４実施形態は、第１物品収納凹部８に収納する第１物品がアイシャドウ又はグロス等の化粧品であり、第２物品４はこのアイシャドウ又はグロス等の化粧品の塗布に用いるブラシや筆等のチップである場合、即ち、化粧品収納用のコンパクトケースに適用したものとしてある。しかし、本発明は、前記コンパクトケースに限らず、印肉と印鑑等の如く互いに密接に関連する第１物品と第２物品とをセットで収納して携帯する２又は２以上の関連物品の収納ケースに適用することができるものである。
【図面の簡単な説明】
【００３９】
【図１】本発明に係る収納ケースの第１実施形態を示した正面図である。
【図２】図１からの動作状態（使用状態）を示した正面図である。
【図３】図１のＡ−Ａ線断面図である。
【図４】図２のＢ−Ｂ線断面図である。
【図５】第１実施形態の収納ケースを分解して示した斜視図である。
【図６】本発明に係る収納ケースの第２実施形態を分解して示した斜視図である。
【図７】本発明に係る収納ケースの第３実施形態を分解して示した斜視図である。
【図８】本発明に係る収納ケースの第４実施形態を分解して示した斜視図である。
【符号の説明】
【００４０】
１  収納ケース
２  ケース本体
３  蓋部材
４  第２物品
５  カセット
８  第１物品収納凹部
１５  カム用突起
２０  表カバー部
２１  裏カバー部
２２  側カバー部
２５  レール部
３０  カム板
３１  カム溝
３５  動作変換伝動機構
３６  突起支持部材
【図１】
2006198346.tif 000003
【図２】
2006198346.tif 000004
【図３】
2006198346.tif 000005
【図４】
2006198346.tif 000006
【図５】
2006198346.tif 000007
【図６】
2006198346.tif 000008
【図７】
2006198346.tif 000009
【図８】
2006198346.tif 000010